(57)【要約】      （修正有）【課題】インプラント骨が所定の位置に堅固に固定される歯槽膜を提供する。【解決手段】歯槽膜は、人工歯根５１を貫通させるための貫通孔１１が設けられる接続部１０と、一端が接続部に接続され、且つ複数の開口部を有する被覆部２０と、被覆部の他端に設けられ、骨組織５２または骨組織と軟組織５３との間に固定するための尖端を有する少なくとも１つの爪部３１を含む固定部３０と、を備える。インプラント骨５４は、両端に位置して共に固定される接続部及び固定部により所定の位置に堅固に固定される。【選択図】図３
0003228880.tif 000002
【実用新案登録請求の範囲】
【請求項１】
人工歯根を貫通させるための貫通孔が設けられる接続部と、
一端が前記接続部に接続され、且つ複数の開口部を有する被覆部と、
前記被覆部の他端に設けられ、人体組織の所定部位に固定するための尖端を有する少なくとも１つの爪部を含む固定部と、を備え、
前記接続部の幅は一端から前記被覆部にかけて前記被覆部と同じ幅になるまで徐々に増大し、
前記被覆部と前記固定部との交接箇所には撓曲部が設けられ、
前記撓曲部は複数の長穴が直線状に配列されることにより形成されることを特徴とする、
歯槽膜。
【請求項２】
前記接続部、前記被覆部、及び前記固定部は単一の板片であることを特徴とする請求項１に記載の歯槽膜。
【請求項３】
前記接続部と前記被覆部との交接箇所には撓曲部が設けられることを特徴とする請求項１に記載の歯槽膜。
【請求項４】
前記撓曲部は複数の長穴が直線状に配列されることにより形成されることを特徴とする請求項３に記載の歯槽膜。
【請求項５】
前記固定部の爪部は骨組織に挿入されることを特徴とする請求項１に記載の歯槽膜。
【請求項６】
前記固定部の爪部は骨組織と軟組織との間に挿入されることを特徴とする請求項１に記載の歯槽膜。
【考案の詳細な説明】
【技術分野】
【０００１】
本考案は、歯科インプラント手術に用いられる歯槽膜に関し、特に、良好な固定状態を有する歯槽膜に関する。
【背景技術】
【０００２】
一般的に、事故や病変や他の原因により歯が失われる場合、美観が失われるのみならず、咀嚼及び噛み合わせにも影響が及ぶ。そこで、歯科医師は通常患者に対し、義歯を作製して失った歯を補填することを提案している。
【０００３】
従来の義歯は一般的に可動義歯及び固定義歯の２種類に大別される。可動義歯はその名の通り、口中に随時着脱可能であり、多数の歯が欠けている患者に多く適用されている。固定義歯は患者の口中に固定され、任意に取り外すことはできない。従来の固定義歯の多くはブリッジ式義歯であり、歯科医師は両側の歯を利用して支持し、３つの義歯を作製し、ブリッジの支持点は両側の歯に位置する。ブリッジ式義歯の欠点は、義歯を装着するために良好な歯を摩損しなければならない点である。
【０００４】
人工インプラントは失った歯を補う治療法として現在普及が進んでいる。人工インプラントは人工歯根を歯が欠損した部位に植え込む治療法であり、その利点として、耐久性が高く、良好な歯を摩損させずに済む点がある。
しかしながら、歯が欠損した部位の骨組織は時間の経過と共に徐々に萎縮し、約半年後には約４０％萎縮し、歯槽骨が薄くなり、インプラントの安定性に影響が生じ、インプラント手術が失敗することもあった。
【０００５】
歯の欠損箇所の骨不足の問題を改善するため、歯科医師は通常、まず骨補填手術を行う。いわゆる骨補填手術は、義歯や自家骨等のインプラント骨を欠損部位に植え込み、歯槽膜により前記インプラント骨を被覆し、必要な外型及び位置を維持するようにする。
【０００６】
従来の歯槽膜は所定の形状を呈する板片であり、接続部及び被覆部を有する。前記接続部には人工歯根と結合させるための接続孔が設けられている。前記被覆部はインプラント骨を被覆するための複数の穴部を有する。従来技術による歯槽膜の詳細な構造については、台湾特許第２０１３１１２１８及び２０１３３２５２３号公報、米国特許第２０１４／０１９９６５７及び２０１４／０３４９２５１号明細書等を参照し、詳述は省略する。
【０００７】
上記構造から分かるように、従来技術による歯槽膜は一端のみが接続孔及び人工歯根を介して結合され、他端は支持するものがなく空いた状態となる。不安定な状態では骨補填手術にも影響し、さらにはインプラント手術の成否にも影響する。
【考案の概要】
【考案が解決しようとする課題】
【０００８】
本考案は、良好な固定状態を有する歯槽膜を提供することを主目的とする。
【課題を解決するための手段】
【０００９】
上記目的を達成するために、本考案の歯槽膜は、人工歯根を貫通させるための貫通孔が設けられる接続部と、一端が前記接続部に接続され、且つ複数の開口部を有する被覆部と、前記被覆部の他端に設けられ、人体組織の所定部位に固定するための尖端を有する少なくとも１つの爪部を含む固定部と、を備えている。
【００１０】
一実施例において、前記接続部、前記被覆部、及び前記固定部は単一の板片である。
【００１１】
一実施例において、前記接続部と前記被覆部との交接箇所には撓曲部が設けられ、且つ前記撓曲部は複数の長穴が直線状に配列されることにより形成されている。
【００１２】
一実施例において、前記被覆部と前記固定部との交接箇所には撓曲部が設けられ、且つ前記撓曲部は複数の長穴が直線状に配列されることにより形成されている。
【００１３】
一実施例において、前記固定部の爪部は骨組織または骨組織と軟組織との間に挿入される。
【００１４】
一実施例において、前記接続部の幅は一端が前記被覆部にかけて前記被覆部と同じ幅になるまで徐々に増大する。
【００１５】
本考案に係る歯槽膜は、両端に位置される前記接続部及び前記固定部が人工歯根及び人体組織にそれぞれ固定されるように結合されることにより、好ましい固定状態となり、インプラント骨が所定の位置に堅固に固定され、インプラント手術をスムーズに施術可能となる。
【図面の簡単な説明】
【００１６】
【図１】本考案の一好ましい実施例の正面図である。
【図２】本考案の一好ましい実施例の傾斜図であって、人工歯根との結合状態を示す。
【図３】本考案の一好ましい実施例の断面図であって、欠損箇所に人工歯根と歯槽膜が装着される状態を示す。
【図４】本考案の一好ましい実施例の一部拡大図であって、固定部を骨組織に挿入する固定方法を示す。
【図５】本考案の一好ましい実施例の一部拡大図であって、固定部を骨組織とソフト組織に挿入する固定方法を示す。
【考案を実施するための形態】
【００１７】
以下、図面を参照する。本考案の技術方法について明確且つ完全に説明する。しかしながら、記載する実施例は本考案の一部の実施例にすぎず、全ての実施例ではない。本分野で通常知識を有する者ならば、本考案の実施例に基づいて創造性を働かせずともあらゆる他の実施例を獲得できるが、それらも全て本考案の保護範囲に含まれる。
【００１８】
図１と図２を参照し、本考案の好適な一実施例に係る歯槽膜は、チタン金属、チタン合金、或いは他の適切な材料で製造される単一の板片であり、順に接続部１０と、被覆部２０と、固定部３０と、を有する。
【００１９】
前記接続部１０の幅は一端から前記被覆部２０にかけて前記被覆部２０と同じ幅になるまで徐々に増大する。前記接続部１０には、人工歯根５１を貫通させると共に歯の欠損箇所に固定するための貫通孔１１が設けられている。前記被覆部２０は所定の弧度を有し、且つ複数の円形開口部２１が設けられている。
前記固定部３０は三角形を呈する３つの爪部３１を有し、各爪部３１の外端には尖端を有する。本実施例では、前記接続部１０と前記被覆部２０との交接箇所及び前記被覆部２０と前記固定部３０との交接箇所には撓曲部がそれぞれ設けられている。各前記撓曲部は３つの長穴４１、４２がそれぞれ直線状に配列されることにより形成され、前記接続部１０が前記被覆部２０に対し、及び前記被覆部２０が前記固定部３０に対し、必要な所定の角度で湾曲されている。
【００２０】
図３を参照する。本考案の実施例に係る歯槽膜の使用は一般的な従来の歯槽膜と同じであり、前記接続部１０にある貫通孔１１は歯の欠損箇所に固定される骨組織５２の人工歯根５１に結合される。前記被覆部２０によりインプラント骨５４が被覆される。相違点は、前記固定部３０の爪部３１が骨組織５２（図４参照）または骨組織５２と軟組織５３との間に挿入される点である（図５参照）。よって、本考案の実施例に係る歯槽膜は、両端に位置される前記接続部１０及び前記固定部３０が人工歯根５１及び人体組織にそれぞれ固定されるように結合されることにより、好ましい固定状態となり、インプラント骨５４が所定の位置に堅固に固定され、インプラント手術がスムーズに施術可能となる。
【００２１】
本考案の利点は、構造が簡単であり、実用性が高く、歯槽膜の両端に共に固定点を有する方式により、インプラント骨が所定の位置に堅固に固定され、インプラント手術がスムーズに施術可能となる点である。
【００２２】
以上、本考案の実施形態について図面を参照して詳述したが、具体的な構成はこの実施形態に限られるものではなく、本考案の要旨を逸脱しない範囲の設計変更等も含まれる。
【符号の説明】
【００２３】
１０  接続部
１１  貫通孔
２０  被覆部
２１  開口部
３０  固定部
３１  爪部
４１  長穴
４２  長穴
５１  人工歯根
５２  骨組織
５３  軟組織
５４  インプラント骨
【図１】
0003228880.tif 000003
【図２】
0003228880.tif 000004
【図３】
0003228880.tif 000005
【図４】
0003228880.tif 000006
【図５】
0003228880.tif 000007
【手続補正書】
【提出日】平成30年12月11日(2018.12.11)
【手続補正１】
【補正対象書類名】実用新案登録請求の範囲
【補正対象項目名】全文
【補正方法】変更
【補正の内容】
【実用新案登録請求の範囲】
【請求項１】
人工歯根を貫通させるための貫通孔が設けられる接続部と、
一端が前記接続部に接続され、且つ複数の開口部を有する被覆部と、
前記被覆部の他端に設けられ、人体組織の所定部位に固定するための尖端を有する少なくとも１つの爪部を含む固定部と、を備え、
前記接続部の幅は一端から前記被覆部にかけて前記被覆部と同じ幅になるまで徐々に増大し、
前記被覆部と前記固定部との交接箇所には撓曲部が設けられ、
前記撓曲部は複数の長穴が直線状に配列されることにより形成され、
前記固定部の爪部は骨組織又は骨組織と軟組織との間に挿入されることを特徴とする、
歯槽膜。
【請求項２】
前記接続部、前記被覆部、及び前記固定部は単一の板片であることを特徴とする請求項１に記載の歯槽膜。
【請求項３】
前記接続部と前記被覆部との交接箇所には撓曲部が設けられることを特徴とする請求項１に記載の歯槽膜。
【請求項４】
前記撓曲部は複数の長穴が直線状に配列されることにより形成されることを特徴とする請求項３に記載の歯槽膜。